(57)【特許請求の範囲】
【請求項１】
ユーザーからの、部位の選択を受け付けるための受付手段と、
表示する画像形成装置の操作画面に対応する画面情報を、前記画像形成装置の各部位に対応付けて記憶するための記憶手段と、
前記受付手段で受け付けた選択された部位に応じた画面情報を前記記憶手段から読み出して出力するための出力手段とを備え、
前記受付手段は、
部位ごとに配置され、所定範囲内で読取可能であって、当該部位を特定する情報を記憶させた記憶媒体と、
前記記憶媒体から前記情報を読み取った読取装置から前記部位を特定する情報を受信する受信手段とを含み、
前記出力手段は、前記読取装置によって特定された部位に応じた前記画面情報を出力し、
前記記憶手段は、前記表示する画面情報を、各部位において前記画像形成装置の機能と連携するアプリケーションごとに異なる操作画面と対応付けて記憶し、
前記受信手段は、前記読取装置から前記部位を特定する情報と共に前記読取装置で実行中のアプリケーションを特定する情報を受信し、
前記出力手段は、前記読取装置によって特定された部位に対応し、かつ特定された前記読取装置で実行中のアプリケーションに応じた操作画面を出力する、画像形成装置。
【請求項２】
前記受付手段は、部位ごとに配置されたタッチセンサーを含み、
前記出力手段は、前記タッチセンサーからのセンサー信号に基づいて検出される、前記ユーザーによってタッチされた部位に応じた前記画面情報を出力する、請求項１に記載の画像形成装置。
【請求項３】
前記記憶手段は、前記表示する画面情報を、前記部位およびユーザーの権限の種類に対応付けて記憶し、
前記受付手段で前記部位の選択を受け付けた際のログインユーザーの権限の種類を特定するための第１の特定手段をさらに備え、
前記出力手段は、前記タッチされた部位および前記ユーザーの権限の種類に応じた前記画面情報を出力する、請求項２に記載の画像形成装置。
【請求項４】
前記記憶手段は、前記表示する画面情報を、前記部位およびユーザーの権限の種類に対応付けて記憶し、
前記受信手段は、前記読取装置から前記部位を特定する情報と共に前記読取装置に関連付けられたユーザーを特定する情報を受信し、
前記受付手段で受信した前記ユーザーの権限の種類を特定するための第１の特定手段をさらに備え、
前記出力手段は、前記読取装置によって特定された部位および前記ユーザーの権限の種類に応じた前記画面情報を出力する、請求項３に記載の画像形成装置。
【請求項５】
前記記憶手段は、前記表示する画面情報を、前記部位および当該画像形成装置の状態に対応付けて記憶し、
前記受付手段で前記部位の選択を受け付けた際の当該画像形成装置の状態を特定するための第２の特定手段をさらに備え、
前記出力手段は、前記受付手段で受け付けた選択された部位および前記画像形成装置の状態に応じた前記画面情報を出力する、請求項１〜４のいずれかに記載の画像形成装置。
【請求項６】
表示手段をさらに備え、
前記出力手段は、前記画面情報に基づく画面を前記表示手段に表示する、請求項１〜５のいずれかに記載の画像形成装置。
【請求項７】
前記出力手段は、表示装置に対して前記画面情報を送信する、請求項１〜５のいずれかに記載の画像形成装置。
【請求項８】
ユーザーからの、部位の選択を受け付けるための受付手段と、
表示する画像形成装置の操作画面に対応する画面情報を、前記画像形成装置の各部位において、画像形成装置と通信可能な携帯端末において実行される画像形成装置の機能と連携するアプリケーションごとに異なる操作画面と対応付けて記憶するための記憶手段と、
前記携帯端末で実行中の前記アプリケーションを特定する情報を取得する取得手段と、
前記受付手段で受け付けた選択された部位に対応し、かつ特定された前記携帯端末で実行中の前記アプリケーションに応じた操作画面を前記記憶手段から読み出して出力するための出力手段とを備える、画像形成装置。
【請求項９】
前記受付手段は、部位ごとに配置されたタッチセンサーを含み、
前記出力手段は、前記タッチセンサーからのセンサー信号に基づいて検出される、前記ユーザーによってタッチされた部位に応じた前記画面情報を出力する、請求項８に記載の画像形成装置。
【請求項１０】
前記記憶手段は、前記表示する画面情報を、前記部位およびユーザーの権限の種類に対応付けて記憶し、
前記受付手段で前記部位の選択を受け付けた際のログインユーザーの権限の種類を特定するための第１の特定手段をさらに備え、
前記出力手段は、前記タッチされた部位および前記ユーザーの権限の種類に応じた前記画面情報を出力する、請求項９に記載の画像形成装置。
【請求項１１】
前記受付手段は、
部位ごとに配置され、所定範囲内で読取可能であって、当該部位を特定する情報を記憶させた記憶媒体と、
前記記憶媒体から前記情報を読み取った携帯端末から前記部位を特定する情報を受信する受信手段とを含み、
前記出力手段は、前記携帯端末によって特定された部位に応じた前記画面情報を出力する、請求項８に記載の画像形成装置。
【請求項１２】
前記記憶手段は、前記表示する画面情報を、前記部位およびユーザーの権限の種類に対応付けて記憶し、
前記受信手段は、前記携帯端末から前記部位を特定する情報と共に前記携帯端末に関連付けられたユーザーを特定する情報を受信し、
前記受付手段で受信した前記ユーザーの権限の種類を特定するための第１の特定手段をさらに備え、
前記出力手段は、前記携帯端末によって特定された部位および前記ユーザーの権限の種類に応じた前記画面情報を出力する、請求項１１に記載の画像形成装置。
【請求項１３】
前記記憶手段は、前記表示する画面情報を、前記部位および当該画像形成装置の状態に対応付けて記憶し、
前記受付手段で前記部位の選択を受け付けた際の当該画像形成装置の状態を特定するための第２の特定手段をさらに備え、
前記出力手段は、前記受付手段で受け付けた選択された部位および前記画像形成装置の状態に応じた前記画面情報を出力する、請求項８〜１２のいずれかに記載の画像形成装置。
【請求項１４】
表示手段をさらに備え、
前記出力手段は、前記画面情報に基づく画面を前記表示手段に表示する、請求項８〜１３のいずれかに記載の画像形成装置。
【請求項１５】
前記出力手段は、表示装置に対して前記画面情報を送信する、請求項８〜１３のいずれかに記載の画像形成装置。
【請求項１６】
前記記憶手段は、前記画像形成装置の同じ部位に対してアプリケーションごとに異なる操作画面が対応づけて記憶されている、請求項１〜１５のいずれかに記載の画像形成装置。
【請求項１７】
画像形成装置の動作を制御するためのプログラムであって、
前記画像形成装置は、プロセッサと、メモリと、ユーザーからの、部位の選択を受け付けるための受付手段とを備え、
前記メモリは、表示する画像形成装置の操作画面に対応する画面情報を、前記画像形成装置の各部位において画像形成装置と通信可能な携帯端末において実行される画像形成装置の機能と連携するアプリケーションごとに異なる操作画面と対応付けて記憶するように構成されており、
前記プログラムは、前記プロセッサに、
前記携帯端末で実行中の前記アプリケーションを特定する情報を取得させるステップと、
前記受付手段で受け付けた選択された部位に対応し、かつ特定された前記携帯端末で実行中の前記アプリケーションに応じた操作画面を前記メモリから読み出して出力させるステップとを実行させる、プログラム。
【請求項１８】
前記受付手段は、部位ごとに配置されたタッチセンサーを含み、
前記出力させるステップは、前記タッチセンサーからのセンサー信号に基づいて検出される、前記ユーザーによってタッチされた部位に応じた前記画面情報を出力する、請求項１７に記載のプログラム。
【請求項１９】
前記メモリは、前記表示する画面情報を、前記部位およびユーザーの権限の種類に対応付けて記憶するように構成されており、
前記受付手段で前記部位の選択を受け付けた際のログインユーザーの権限の種類を特定するステップをさらに備え、
前記出力するステップは、前記タッチされた部位および前記ユーザーの権限の種類に応じた前記画面情報を出力する、請求項１８に記載のプログラム。
【請求項２０】
前記受付手段は、部位ごとに配置され、所定範囲内で読取可能であって、当該部位を特定する情報を記憶させた記憶媒体とを含み、
前記取得させるステップは、前記記憶媒体から前記情報を読み取った携帯端末から前記部位を特定する情報を受信するステップをさらに含み、
前記出力するステップは、前記携帯端末によって特定された部位に応じた前記画面情報を出力する、請求項１７に記載のプログラム。
【請求項２１】
前記メモリは、前記表示する画面情報を、前記部位およびユーザーの権限の種類に対応付けて記憶するように構成されており、
前記取得させるステップは、前記携帯端末から前記部位を特定する情報と共に前記携帯端末に関連付けられたユーザーを特定する情報を受信し、
前記受付手段で受信した前記ユーザーの権限の種類を特定するステップをさらに備え、
前記出力するステップは、前記携帯端末によって特定された部位および前記ユーザーの権限の種類に応じた前記画面情報を出力する、請求項２０に記載のプログラム。
【請求項２２】
前記メモリは、前記表示する画面情報を、前記部位および当該画像形成装置の状態に対応付けて記憶するように構成されており、
前記受付手段で前記部位の選択を受け付けた際の当該画像形成装置の状態を特定するステップをさらに備え、
前記出力するステップは、前記受付手段で受け付けた選択された部位および前記特定された前記画像形成装置の状態に応じた前記画面情報を出力する、請求項１７〜２１のいずれかに記載のプログラム。
【請求項２３】
前記画像形成装置は、表示手段をさらに備え、
前記出力するステップは、前記画面情報に基づく画面を前記表示手段に表示する、請求項１７〜２２のいずれかに記載のプログラム。
【請求項２４】
前記出力するステップは、表示装置に対して前記画面情報を送信する、請求項１７〜２２のいずれかに記載のプログラム。
【請求項２５】
前記メモリは、前記画像形成装置の同じ部位に対してアプリケーションごとに異なる操作画面が対応づけて記憶されている、請求項１７〜２４のいずれかに記載のプログラム。
【発明の詳細な説明】
【技術分野】
【０００１】
この発明は画像形成装置に関し、特に、表示装置を有する画像形成装置に関する。
【背景技術】
【０００２】
コピー機やプリンターやファクシミリ送受信機やそれらの複合機であるＭＦＰ（Multi-Functional Peripheral）などの画像形成装置で機能を使用する場合、操作パネルの表示画面をその機能の設定画面に遷移させて、機能設定を行なうことが一般的である。
【０００３】
画像形成装置の操作に関する技術として、たとえば特開２００４−２９５３２５号公報、特開２００７−７４１６２号公報、特開２００８−９２０７７号公報、特開２００８−１９３２６５号公報、特開２００８−２１９３５１号公報、特開２００８−２７６６９３号公報、特開２０１０−９８７１７号公報、および特開２００７−７９６３９号公報（以下、特許文献１〜８）は、いずれも、画像形成装置の操作を携帯端末から行なう技術を開示している。
【先行技術文献】
【特許文献】
【０００４】
【特許文献１】特開２００４−２９５３２５号公報
【特許文献２】特開２００７−７４１６２号公報
【特許文献３】特開２００８−９２０７７号公報
【特許文献４】特開２００８−１９３２６５号公報
【特許文献５】特開２００８−２１９３５１号公報
【特許文献６】特開２００８−２７６６９３号公報
【特許文献７】特開２０１０−９８７１７号公報
【特許文献８】特開２００７−７９６３９号公報
【発明の概要】
【発明が解決しようとする課題】
【０００５】
しかしながら、昨今、画像形成装置は多機能化しているために機能の選択肢が多くなっている。また、高機能化しているために、目的とする設定画面の階層が深くなり、操作回数が多くなったりしている。そのため、目的とする設定画面を表示させて操作することが難解であったり煩雑であったりする、という問題がある。
【０００６】
本発明はこのような問題に鑑みてなされたものであって、操作性の高い画像形成装置を提供することを目的としている。
【課題を解決するための手段】
【０００７】
上記目的を達成するために、本発明のある局面に従うと、画像形成装置は、ユーザーからの、部位の選択を受け付けるための受付手段と、表示する画像形成装置の操作画面に対応する画面情報を、前記画像形成装置の各部位に対応付けて記憶するための記憶手段と、受付手段で受け付けた選択された部位に応じた画面情報を記憶手段から読み出して出力するための出力手段とを備える。前記受付手段は、部位ごとに配置され、所定範囲内で読取可能であって、当該部位を特定する情報を記憶させた記憶媒体と、前記記憶媒体から前記情報を読み取った読取装置から前記部位を特定する情報を受信する受信手段とを含む。前記出力手段は、前記読取装置によって特定された部位に応じた前記画面情報を出力する。前記記憶手段は、前記表示する画面情報を、各部位において前記画像形成装置の機能と連携するアプリケーションごとに異なる操作画面と対応付けて記憶する。前記受信手段は、前記読取装置から前記部位を特定する情報と共に前記読取装置で実行中のアプリケーションを特定する情報を受信する。前記出力手段は、前記読取装置によって特定された部位に対応し、かつ特定された前記読取装置で実行中のアプリケーションに応じた操作画面を出力する。
他の局面に従うと、画像形成装置は、ユーザーからの、部位の選択を受け付けるための受付手段と、表示する画像形成装置の操作画面に対応する画面情報を、前記画像形成装置の各部位において、画像形成装置と通信可能な携帯端末において実行される画像形成装置の機能と連携するアプリケーションごとに異なる操作画面と対応付けて記憶するための記憶手段と、前記携帯端末で実行中の前記アプリケーションを特定する情報を取得する取得手段と、前記受付手段で受け付けた選択された部位に対応し、かつ特定された前記携帯端末で実行中の前記アプリケーションに応じた操作画面を前記記憶手段から読み出して出力するための出力手段とを備える、
【０００８】
好ましくは、受付手段は部位ごとに配置されたタッチセンサーを含み、出力手段は、タッチセンサーからのセンサー信号に基づいて検出される、ユーザーによってタッチされた部位に応じた画面情報を出力する。
【０００９】
より好ましくは、記憶手段は、表示する画面情報を部位およびユーザーの権限の種類に対応付けて記憶し、画像形成装置は受付手段で部位の選択を受け付けた際のログインユーザーの権限の種類を特定するための第１の特定手段をさらに備え、出力手段は、タッチされた部位およびユーザーの権限の種類に応じた画面情報を出力する。
【００１０】
好ましくは、受付手段は、部位ごとに配置され、所定範囲内で読取可能であって、当該部位を特定する情報を記憶させた記憶媒体と、記憶媒体から情報を読み取った読取装置から部位を特定する情報を受信する受信手段とを含み、出力手段は、読取装置によって特定された部位に応じた画面情報を出力する。
【００１１】
より好ましくは、記憶手段は、表示する画面情報を部位およびユーザーの権限の種類に対応付けて記憶し、受信手段は、読取装置から部位を特定する情報と共に読取装置に関連付けられたユーザーを特定する情報を受信し、画像形成装置は、受付手段で受信したユーザーの権限の種類を特定するための第１の特定手段をさらに備え、出力手段は、読取装置によって特定された部位およびユーザーの権限の種類に応じた画面情報を出力する。
【００１２】
より好ましくは、記憶手段は、表示する画面情報を部位および画像形成装置の機能と連携するアプリケーションに対応付けて記憶し、受信手段は、読取装置から部位を特定する情報と共に読取装置で実行中のアプリケーションを特定する情報を受信し、出力手段は、読取装置によって特定された部位および読取装置で実行中のアプリケーションに応じた画面情報を出力する。
【００１３】
好ましくは、記憶手段は、表示する画面情報を部位および当該画像形成装置の状態に対応付けて記憶し、画像形成装置は受付手段で部位の選択を受け付けた際の当該画像形成装置の状態を特定するための第２の特定手段をさらに備え、出力手段は、受付手段で受け付けた選択された部位および画像形成装置の状態に応じた画面情報を出力する。
【００１４】
好ましくは、画像形成装置は表示手段をさらに備え、出力手段は、画面情報に基づく画面を表示手段に表示する。
【００１５】
好ましくは、出力手段は、表示装置に対して画面情報を送信する。
好ましくは、前記記憶手段は、前記画像形成装置の同じ部位に対してアプリケーションごとに異なる操作画面が対応づけて記憶されている。
さらに他の局面に従うと、プロセッサと、メモリと、ユーザーからの、部位の選択を受け付けるための受付手段とを備える画像形成装置の動作を制御するためのプログラムは、前記プロセッサに、前記携帯端末で実行中の前記アプリケーションを特定する情報を取得させるステップと、前記受付手段で受け付けた選択された部位に対応し、かつ特定された前記携帯端末で実行中の前記アプリケーションに応じた操作画面を前記メモリから読み出して出力させるステップとを実行させる。前記メモリは、表示する画像形成装置の操作画面に対応する画面情報を、前記画像形成装置の各部位において画像形成装置と通信可能な携帯端末において実行される画像形成装置の機能と連携するアプリケーションごとに異なる操作画面と対応付けて記憶するように構成される。
好ましくは、前記受付手段は、部位ごとに配置されたタッチセンサーを含む。前記出力させるステップは、前記タッチセンサーからのセンサー信号に基づいて検出される、前記ユーザーによってタッチされた部位に応じた前記画像情報を出力する。
さらに好ましくは、前記メモリは、前記表示する画面情報を、前記部位およびユーザーの権限の種類に対応付けて記憶するように構成される。前記受付手段で前記部位の選択を受け付けた際のログインユーザーの権限の種類を特定するステップをさらに備える。前記出力するステップは、前記タッチされた部位および前記ユーザーの権限の種類に応じた前記画面情報を出力する。
好ましくは、前記受付手段は、部位ごとに配置され、所定範囲内で読取可能であって、当該部位を特定する情報を記憶させた記憶媒体とを含む。前記取得させるステップは、前記記憶媒体から前記情報を読み取った携帯端末から前記部位を特定する情報を受信するステップをさらに含む。前記出力するステップは、前記携帯端末によって特定された部位に応じた前記画面情報を出力する。
さらに好ましくは、前記メモリは、前記表示する画面情報を、前記部位およびユーザーの権限の種類に対応付けて記憶するように構成される。前記取得させるステップは、前記携帯端末から前記部位を特定する情報と共に前記携帯端末に関連付けられたユーザーを特定する情報を受信する。前記受付手段で受信した前記ユーザーの権限の種類を特定するステップをさらに備える。前記出力するステップは、前記携帯端末によって特定された部位および前記ユーザーの権限の種類に応じた前記画面情報を出力する。
好ましくは、前記メモリは、前記表示する画面情報を、前記部位および当該画像形成装置の状態に対応付けて記憶するように構成される。前記受付手段で前記部位の選択を受け付けた際の当該画像形成装置の状態を特定するステップをさらに備える。前記出力するステップは、前記受付手段で受け付けた選択された部位および前記特定された前記画像形成装置の状態に応じた前記画面情報を出力する。
好ましくは、前記画像形成装置は、表示手段をさらに備える。前記出力するステップは、前記画面情報に基づく画面を前記表示手段に表示する。
好ましくは、前記出力するステップは、表示装置に対して前記画面情報を送信する。
好ましくは、前記メモリは、前記画像形成装置の同じ部位に対してアプリケーションごとに異なる操作画面が対応づけて記憶されている。
【発明の効果】
【００１６】
この発明によると、目的とする機能の操作用の画面を容易で直観的な操作によって表示させることができ、画像形成装置の操作性を格段に向上させることができる。
【図面の簡単な説明】
【００１７】
【図１】第１の実施の形態にかかる画像形成装置としてのＭＦＰ（Multi-Functional Peripheral）の外観の具体例を示す図である。
【図２】ＭＦＰのハードウェア構成の具体例を示すブロック図である。
【図３】ＭＦＰの機能構成の具体例を示すブロック図である。
【図４】ＭＦＰでのセンサーの設置位置と表示する画面との対応の具体例を示す図である。
【図５】第１の実施の形態にかかるＭＦＰでの動作の流れを表わしたフローチャートである。
【図６】ＭＦＰでの画面例を表わす図である。
【図７】ＭＦＰでの画面例を表わす図である。
【図８】ＭＦＰでの画面例を表わす図である。
【図９】ＭＦＰでの画面例を表わす図である。
【図１０】ＭＦＰでの画面例を表わす図である。
【図１１】第２の実施の形態にかかるＭＦＰの機能構成の具体例を示すブロック図である。
【図１２】ユーザー情報の具体例を示す図である。
【図１３】ＭＦＰでのセンサーの設置位置と表示する画面とログインユーザーの権限の種類との対応の具体例を示す図である。
【図１４】第２の実施の形態にかかるＭＦＰでの動作の流れを表わしたフローチャートである。
【図１５】ＭＦＰでの画面例を表わす図である。
【図１６】第３の実施の形態にかかるＭＦＰの機能構成の具体例を示すブロック図である。
【図１７】ＭＦＰでのセンサーの設置位置と表示する画面とＭＦＰの状態との対応の具体例を示す図である。
【図１８】第３の実施の形態にかかるＭＦＰでの動作の流れを表わしたフローチャートである。
【図１９】ＭＦＰでの画面例を表わす図である。
【図２０】ＭＦＰでの画面例を表わす図である。
【図２１】ＭＦＰでの画面例を表わす図である。
【図２２】第４の実施の形態にかかるＭＦＰの、携帯端末との通信の様子を表わした図である。
【図２３】第４の実施の形態にかかるＭＦＰの外観の具体例を示す図である。
【図２４】第４の実施の形態にかかるＭＦＰのハードウェア構成の具体例を示すブロック図である。
【図２５】携帯端末のハードウェア構成の具体例を示すブロック図である。
【図２６】第４の実施の形態でのＭＦＰと携帯端末との動作概要を表わした図である。
【図２７】ＭＦＰの機能構成の具体例を示すブロック図である。
【図２８】携帯端末の機能構成の具体例を示すブロック図である。
【図２９】ＭＦＰの各部に配置されたＩＣタグそれぞれに記憶された情報を表わした図である。
【図３０】ＭＦＰ各部と表示する画面との対応の具体例を示す図である。
【図３１】第４の実施の形態にかかる携帯端末での動作の流れを表わしたフローチャートである。
【図３２】第４の実施の形態にかかるＭＦＰでの動作の流れを表わすフローチャートである。
【図３３】第４の実施の形態の変形例におけるＭＦＰでの動作の流れを表わすフローチャートである。
【図３４】ＭＦＰ各部と表示する画面とユーザーの権限の種類との対応の具体例を示す図である。
【図３５】第５の実施の形態にかかる携帯端末での動作の流れを表わしたフローチャートである。
【図３６】第５の実施の形態にかかるＭＦＰでの動作の流れを表わすフローチャートである。
【図３７】ＭＦＰ各部と表示する画面とＭＦＰの状態との対応の具体例を示す図である。
【図３８】第５の実施の形態にかかるＭＦＰでの動作の流れを表わすフローチャートである。
【図３９】携帯端末でアプリケーション実行中である場合の、携帯端末のディスプレイの表示例を表わした図である。
【図４０】ＭＦＰ部位と表示する画面と携帯端末で実行中のアプリケーションとの対応の具体例を示す図である。
【図４１】第７の実施の形態にかかる携帯端末での動作の流れを表わすフローチャートである。
【図４２】第７の実施の形態にかかるＭＦＰでの動作の流れを表わすフローチャートである。
【図４３】携帯端末での画面例を表わす図である。
【発明を実施するための形態】
【００１８】
以下に、図面を参照しつつ、本発明の実施の形態について説明する。以下の説明では、同一の部品および構成要素には同一の符号を付してある。それらの名称および機能も同じである。
【００１９】
［第１の実施の形態］
＜装置構成＞
図１は、第１の実施の形態にかかる画像形成装置としてのＭＦＰ（Multi-Functional Peripheral）１００の外観の具体例を示す図である。
【００２０】
図１を参照して、ＭＦＰ１００は、スキャナー１３やプリンター１４（図２）などを内蔵した本体部４と、本体部４の上部に配置された原稿自動読取装置１と、本体部４の下部に配置された給紙トレイ２と、排紙トレイ３とを備える。
【００２１】
本体部４の上方の操作しやすい位置に表示パネル１５が設置され、表示パネル１５はタッチパネルを含んで構成されて、操作パネルとして機能する。
【００２２】
表示パネル１５の設置された面を前面とすると、図１の例では排紙トレイ３は側面側に配置されている。また、その反対の側面には、挿入されたネットワークカード（ＮＩＣ）を読み取るためのＮＩＣ読取部１７と、ＵＳＢ（Universal Serial Bus）接続用のインターフェースであるＵＳＢＩ／Ｆ１９とが配置されている。
【００２３】
さらに、ＭＦＰ１００の各部にはタッチセンサーが配置されている。詳しくは、図１を参照して、原稿自動読取装置１の表面にはタッチセンサーであるセンサー８１が配置され、複数段ある給紙トレイ２のそれぞれの表面にはセンサー８２，８３，８４が配置され、複数段ある排紙トレイ３のそれぞれの表面にはセンサー８５，８６が配置され、ＮＩＣ読取部１７の近傍およびＵＳＢＩ／Ｆ１９の近傍にはそれぞれセンサー８７，８８が配置されている。また、本体部４内部の図示しないトナー装着部近傍にはセンサー８９が設置されている。
【００２４】
なお、図１に表わされたこれらセンサー８１〜８９の位置は一例であって、図１の位置に限定されるものではない。また、同じ部位について複数のセンサーが用いられてもよい。
【００２５】
図２は、第１の実施の形態にかかるＭＦＰ１００のハードウェア構成の具体例を示すブロック図である。
【００２６】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、原稿自動読取装置１にセットされた原稿を光学的に読み取って画像データーを得るためのスキャナー１３と、画像データーを印刷用紙上に固定するためのプリンター１４と、タッチパネルを含んだ操作パネルとして機能する表示パネル１５と、画像データー等を保存するためのメモリー１６と、ＬＡＮ（Local Area Network）等のネットワークを介した通信に用いるＮＩＣにアクセスし、データーをやり取りするためのＮＩＣ読取部１７と、センサー１８と、ＵＳＢＩ／Ｆ１９とを含む。
【００２７】
表示パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００２８】
センサー１８は、図１に表わされた、ＭＦＰ１００各部に配置されたセンサー８１〜８９を含む。さらに、トナー量残量やトナー切れ、用紙切れを検出するためのセンサーや、各部のジャム（紙詰まり）や温度異常や動作異常等を検出するためのセンサーや、印刷用紙の排紙トレイへの排出を検出するためのセンサーなどの、ＭＦＰ１００の状態を検出するためのセンサーも含む。
【００２９】
タッチセンサーであるセンサー８１〜８９は、光学式タッチセンサーや静電容量式タッチセンサーなどであってよく、タッチの有無を検知し、タッチされたことを表わすセンサー信号をＣＰＵ１０に入力する。
【００３０】
＜動作概要＞
第１の実施の形態にかかるＭＦＰ１００では、各部に設置されたセンサー８１〜８９からのセンサー信号に基づいて、タッチされた位置に応じた画面を表示する。すなわち、ＭＦＰ１００の各部に設置されたタッチセンサーは、ユーザーによる部位の選択を受け付けるための受付手段として機能し、ユーザーがＭＦＰ１００の操作の対象となる部位にタッチすると、その部位に配置されたセンサーによってその選択が受け付けられて、その部位に応じた操作画面が表示パネル１５に表示される。
【００３１】
＜機能構成＞
図３は、上記動作を行なうためのＭＦＰ１００の機能構成の具体例を示すブロック図である。図３に示される各機能は、ＭＦＰ１００のＣＰＵ１０がＲＯＭ１１に記憶されているプログラムを読み出してＲＡＭ１２上に展開しつつ実行することで、主にＣＰＵ１０に形成されるものである。しかしながら、少なくとも一部が、図１，図２に表わされたハードウェア構成によって実現されてもよい。以降の実施の形態でも同様である。
【００３２】
図３を参照して、メモリー１６には、センサー８１〜８９の設置位置と表示する画面との対応を記憶するための記憶領域である対応記憶部１６１が設けられる。
【００３３】
さらに図３を参照して、ＣＰＵ１０は、センサー１８からのセンサー信号の入力を受け付けるためのセンサー入力部１０１と、センサー信号に基づいてタッチされた位置を検出するための検出部１０２と、タッチされた位置に対応付けて記憶されている表示する操作画面を対応記憶部１６１から読み出すための読出部１０３と、読み出した操作画面を表示パネル１５に表示する処理を行なうための表示部１０４とを含む。
【００３４】
図４は、センサー８１〜８９の設置位置と表示する画面との対応の具体例を示す図である。図４を参照して、メモリー１６の対応記憶部１６１には、予め、センサー８１〜８９の設置位置ごとに、その位置に応じた操作画面を表示する画面として記憶されている。この対応関係は予め記憶されているものであってもよいし、ユーザーごと、または管理者等の特定のユーザーによって設定、変更が可能であってもよい。
【００３５】
＜動作フロー＞
図５は、第１の実施の形態にかかるＭＦＰ１００での動作の流れを表わしたフローチャートである。図５のフローチャートに表わされた動作は、ＭＦＰ１００のＣＰＵ１０がＲＯＭ１１に記憶されているプログラムを読み出して実行し、図３の各機能を発揮させることによって実現される。
【００３６】
図５を参照して、ユーザーがＭＦＰ１００の特定の位置にタッチすると（ステップＳ１０１）、その位置に設置されたセンサー８１〜８９がタッチを検出して、その信号をＣＰＵ１０に入力する。ステップＳ１０３でＣＰＵ１０は、その信号に基づいて上記ステップＳ１０１でユーザーによって押下された位置を検出する。
【００３７】
そして、ステップＳ１０５でＣＰＵ１０は、対応記憶部１６１に記憶されている図４の対応を参照して、押下された位置に対応した操作画面を読み出して、表示パネル１５に表示する。
【００３８】
＜第１の実施の形態の効果＞
第１の実施の形態にかかるＭＦＰ１００が上述のように構成されて動作することによって、ユーザーが特定の部位にタッチするだけで、その部位に対応した操作画面が表示パネル１５に表示される。
【００３９】
上の例において、たとえばユーザーが原稿自動読取装置１にタッチすると、原稿自動読取装置１の表面に設置されたセンサー８１がそのタッチを検出し、当該センサーの設置位置に応じた操作画面として、図６に表わされた原稿モード設定用の画面が表示される。これにより、ユーザーは、原稿モードの設定を行ないたい場合に、メニュー画面から順にたどっていく操作を行なうことなく原稿モードの設定に関連した部位である原稿自動読取装置１にタッチするだけで、その操作画面を表示させることができる。
【００４０】
またたとえば、ユーザーが図示しないトナー装着部にタッチすると、トナー装着部近傍に設置されたセンサー８９がそのタッチを検出し、当該センサーの設置位置に応じた操作画面として、図７に表わされたトナー残量表示画面が表示される。これにより、ユーザーは、トナー残量を確認したい場合に、メニュー画面から順にたどっていく操作を行なうことなくトナー残量の確認に関連した部位であるトナー装着部にタッチするだけで、その画面を表示させることができる。
【００４１】
またたとえば、給紙トレイ２にタッチすると、給紙トレイ２の表面に設置されたセンサー８２，８３，８４のいずれかがそのタッチを検出し、当該センサーの設置位置に応じた操作画面として、図８に表わされた給紙トレイ選択用の画面が表示される。これにより、ユーザーは、給紙トレイを選択したい場合に、メニュー画面から順にたどっていく操作を行なうことなく給紙トレイの選択に関連した部位である給紙トレイ２にタッチするだけで、その画面を表示させることができる。
【００４２】
またたとえば、排紙トレイ３にタッチすると、排紙トレイ３の表面に設置されたセンサー８５，８６のいずれかがそのタッチを検出し、当該センサーの設置位置に応じた操作画面として、図９に表わされた排紙トレイ選択用の画面が表示される。これにより、ユーザーは、排紙トレイを選択したい場合に、メニュー画面から順にたどっていく操作を行なうことなく排紙トレイの選択に関連した部位である排紙トレイ３にタッチするだけで、その画面を表示させることができる。
【００４３】
またたとえば、ＮＩＣ読取部１７にタッチすると、ＮＩＣ読取部１７の近傍に設置されたセンサー８７がそのタッチを検出し、当該センサーの設置位置に応じた操作画面として、図１０に表わされたＩＰアドレス確認用の画面が表示される。これにより、ユーザーは、ＩＰアドレスを確認したい場合に、メニュー画面から順にたどっていく操作を行なうことなくＩＰアドレスの確認に関連した部位であるＮＩＣ読取部１７にタッチするだけで、その画面を表示させることができる。
【００４４】
すなわち、ユーザーは煩雑な操作や難解な操作を行なうことなく、容易で直観的な操作で目的とする操作画面を表示させることができる。
【００４５】
［第２の実施の形態］
＜動作概要＞
第２の実施の形態として、ＭＦＰ１００では、管理者等の特定のユーザーによるタッチに応じて操作画面を表示パネル１５に表示するようにしてもよい。この場合、ＭＦＰ１００は、予めユーザーごとに当該ユーザーの有する権限を記憶しておき、センサー８１〜８９の設置位置と表示する画面とログインユーザーの権限の種類との対応を記憶しておく。
【００４６】
＜機能構成＞
図１１は、第２の実施の形態にかかるＭＦＰ１００の機能構成の具体例を示すブロック図である。
【００４７】
図１１を参照して、第２の実施の形態にかかるＭＦＰ１００は、図３に表わされた機能に加えて、タッチパネルである表示パネル１５に対する操作に基づく操作信号の入力を受け付けるための指示入力部１０５と、ログイン操作に基づいてユーザー認証を行なうための認証部１０６とをさらに含む。
【００４８】
また、メモリー１６には、ユーザーごとの権限の種類を規定したユーザー情報を記憶するための記憶領域であるユーザー情報記憶部１６２がさらに設けられる。
【００４９】
図１２は、ユーザー情報の具体例を示す図である。図１２を参照して、メモリー１６のユーザー情報記憶部１６２には、予め、ユーザーごとに管理者であるか否か、などの権限を表わすユーザー情報が記憶されている。ユーザー情報には、さらに、ユーザー認証に必要な認証情報が含まれてもよい。
【００５０】
認証部１０６は、指示入力部１０５においてログイン操作を受け付けると、ユーザー情報を参照してそのユーザーの認証を行なうと共に、認証成功の場合には、ログインユーザーの権限の種類を特定する。
【００５１】
第２の実施の形態にかかるＭＦＰ１００では、読出部１０３は、タッチされた位置に対応付けて記憶されている操作画面がログインユーザーの権限の種類で表示可能である場合にその操作画面を読み出す。または、ユーザーの権限ごとに操作画面が対応付けられている場合には、さらにログインユーザーの権限の種類にも対応した操作画面を読み出す。
【００５２】
図１３は、センサー８１〜８９の設置位置と表示する画面とログインユーザーの権限の種類との対応の具体例を示す図である。
【００５３】
図１３を参照して、第２の実施の形態では、図４に表わされたセンサー８１〜８９の設置位置と表示する画面との対応に加えて、ログインユーザーの権限の種類が対応付けられている。図１３に表わされたように、ログインユーザーが管理者でもそうでない場合でも画面表示が許可されてもよいし、ログインユーザーが管理者のときのみ表示が許可されるように規定されていてもよい。また、たとえばＮＩＣ読取部１７近傍がタッチされたときに表示するＩＰアドレスに関する画面がログインユーザーが管理者でない場合にはＩＰアドレスを表示する画面、管理者である場合にはＩＰアドレス設定用の画面、と規定されているように、同じ部位のタッチでも、権限の種類に応じて異なる画面としてもよい。
【００５４】
＜動作フロー＞
図１４は、第２の実施の形態にかかるＭＦＰ１００での動作の流れを表わしたフローチャートである。図１４のフローチャートに表わされた動作もまた、ＭＦＰ１００のＣＰＵ１０がＲＯＭ１１に記憶されているプログラムを読み出して実行し、図１２の各機能を発揮させることによって実現される。
【００５５】
図１４を参照して、ユーザーが表示パネル１５に表示されたログイン画面にユーザー名およびパスワードを入力するなどしてログイン操作を行なうと、ＣＰＵ１０はユーザー認証処理を行なう（ステップＳ２０１）。認証成功の場合（ステップＳ２０３でＹＥＳ）、当該ユーザーのログインを許可する。
【００５６】
ログインユーザーがＭＦＰ１００の特定の位置にタッチすると（ステップＳ２０５）、その位置に設置されたセンサー８１〜８９がタッチを検出して、その信号をＣＰＵ１０に入力する。ステップＳ２０７でＣＰＵ１０は、その信号に基づいて上記ステップＳ２０５でユーザーによって押下された位置を検出する。
【００５７】
そして、ステップＳ２０９でＣＰＵ１０は、図１３のユーザー情報を参照してログインユーザーの権限の種類を特定し、対応記憶部１６１に記憶されている図４の対応を参照して、押下された位置に対応し、かつログインユーザーの権限の種類に対応した操作画面を読み出して、表示パネル１５に表示する。
【００５８】
＜第２の実施の形態の効果＞
第２の実施の形態にかかるＭＦＰ１００が上述のように構成されて動作することによって、ログインユーザーが特定の部位にタッチするだけで、その部位およびログインユーザーの権限の種類に対応した操作画面が表示パネル１５に表示される。
【００５９】
上の例において、たとえば管理者であるログインユーザーがＮＩＣ読取部１７にタッチすると、ＮＩＣ読取部１７の近傍に設置されたセンサー８７がそのタッチを検出し、当該センサーの設置位置に応じた操作画面であって、管理者に対応付けられた操作画面として、図１５に表わされたＩＰアドレス設定用の画面が表示される。これにより、管理者であるユーザーは、ＩＰアドレスを設定したい場合に、メニュー画面から順にたどっていく操作を行なうことなくＩＰアドレスの設定に関連した部位であるＮＩＣ読取部１７にタッチするだけで、その画面を表示させることができる。また、この場合、ＩＰアドレスの設定の権限を有していない管理者でないユーザーが同じ操作を行なったとしても、図１５の設定用の画面は表示されずに、自身の権限に応じた図１０の確認用の画面が表示される。
【００６０】
これにより、ユーザーの利便性をより向上させることができる。
［第３の実施の形態］
＜動作概要＞
第３の実施の形態として、ＭＦＰ１００では、タッチ時のＭＦＰ１００の状態に応じて操作画面を表示パネル１５に表示するようにしてもよい。この場合、ＭＦＰ１００は、予めセンサー８１〜８９の設置位置と表示する画面とＭＦＰ１００の状態との対応を記憶しておく。
【００６１】
＜機能構成＞
図１６は、第３の実施の形態にかかるＭＦＰ１００の機能構成の具体例を示すブロック図である。
【００６２】
図１６を参照して、第３の実施の形態にかかるＭＦＰ１００は、図３に表わされた機能に加えて、センサー１８からのセンサー信号に基づいて各部の状態を特定するための状態特定部１０７をさらに含む。
【００６３】
第３の実施の形態にかかるＭＦＰ１００では、読出部１０３は、タッチされた位置に対応付けて記憶されている操作画面であって、かつ、タッチ時のＭＦＰ１００の状態に対応付けられている操作画面を読み出す。
【００６４】
図１７は、センサー８１〜８９の設置位置と表示する画面とＭＦＰ１００の状態との対応の具体例を示す図である。
【００６５】
図１７を参照して、第３の実施の形態では、図４に表わされたセンサー８１〜８９の設置位置と表示する画面との対応に加えて、ＭＦＰ１００の状態が対応付けられている。図１７に表わされたように、同じ部位に対してＭＦＰ１００の状態に応じて異なる操作画面が対応付けられていてもよい。たとえば、原稿自動読取装置１に対応付けられている操作画面として、原稿が搬送されていない状態である場合には原稿モード設定用の画面が対応付けられ、原稿発送中には読取枚数を表示する画面が対応付けられている。これにより、ＭＦＰ１００の状態に応じて必要となる画面が表示されることになる。
【００６６】
＜動作フロー＞
図１８は、第３の実施の形態にかかるＭＦＰ１００での動作の流れを表わしたフローチャートである。図１８のフローチャートに表わされた動作もまた、ＭＦＰ１００のＣＰＵ１０がＲＯＭ１１に記憶されているプログラムを読み出して実行し、図１６の各機能を発揮させることによって実現される。
【００６７】
図１８を参照して、ユーザーがＭＦＰ１００の特定の位置にタッチすると（ステップＳ３０１）、その位置に設置されたセンサー８１〜８９がタッチを検出して、その信号をＣＰＵ１０に入力する。ステップＳ３０３でＣＰＵ１０は、その信号に基づいて上記ステップＳ２０５でユーザーによって押下された位置を検出する。
【００６８】
また、ステップＳ３０５でＣＰＵ１０は、センサー１８からのセンサー信号に基づいてそのときのＭＦＰ１００の状態を特定する。
【００６９】
そして、ステップＳ３０７でＣＰＵ１０は、図１３のユーザー情報を参照してログインユーザーの権限の種類を特定し、対応記憶部１６１に記憶されている図４の対応を参照して、押下された位置に対応し、かつそのときのＭＦＰ１００の状態に対応した操作画面を読み出して、表示パネル１５に表示する。
【００７０】
＜第３の実施の形態の効果＞
第３の実施の形態にかかるＭＦＰ１００が上述のように構成されて動作することによって、ユーザーが特定の部位にタッチするだけで、その部位およびそのときのＦＭＰ１００の状態に対応した操作画面が表示パネル１５に表示される。
【００７１】
上の例において、たとえばユーザーが原稿搬送中の原稿自動読取装置１にタッチすると、原稿自動読取装置１の表面に設置されたセンサー８１がそのタッチを検出し、当該センサーの設置位置およびそのときのＭＦＰ１００の状態に応じた操作画面として、図１９に表わされた読み取られた枚数を表示する画面が表示される。これによりユーザーは、原稿搬送中に読取枚数が知りたい場合に、原稿の読み取りに関連した部位である原稿自動読取装置１に原稿搬送中にタッチするだけで、メニュー画面から順にたどっていく操作を行なうことなくその操作画面を表示させることができる。
【００７２】
またたとえば、排出された用紙がある状態の排紙トレイ３にタッチすると、排紙トレイ３の表面に設置されたセンサー８５，８６のいずれかがそのタッチを検出し、当該センサーの設置位置に応じた操作画面として、図２０に表わされた後処理を設定するための画面が表示される。これにより、ユーザーは、印刷後の用紙に対するステープルやパンチ等の後処理を設定したい場合に、後処理の設定に関連した部位である排紙トレイ３に印刷後の用紙が排出された状態であるときにタッチするだけで、メニュー画面から順にたどっていく操作を行なうことなく必要な画面を表示させることができる。
【００７３】
またたとえば、ＵＳＢケーブル等が接続された状態であるＵＳＢＩ／Ｆ１９にタッチすると、ＵＳＢＩ／Ｆ１９近傍に設置されたセンサー８８がそのタッチを検出し、当該センサーの設置位置に応じた操作画面として、図２１に表わされたＵＳＢ接続を利用する機能を選択するための画面が表示される。これにより、ユーザーは、ＵＳＢ接続を利用する機能を利用したい場合に、ＵＳＢケーブル等をＵＳＢＩ／Ｆ１９に接続した状態でその部位をタッチするだけで、メニュー画面から順にたどっていく操作を行なうことなく必要な画面を表示させることができる。
【００７４】
これにより、ユーザーの利便性をより向上させることができる。
［第４の実施の形態］
第４の実施の形態にかかるＭＦＰ１００は、図２２に表わされたように、携帯電話機などの携帯端末２００Ａ，２００Ｂと無線通信などで通信可能である。携帯端末２００Ａ，２００Ｂを代表させて、携帯端末２００とも称する。ＭＦＰ１００と携帯端末２００との通信としては、たとえば、Ｂｌｕｅｔｏｏｔｈ（登録商標）を利用した無線通信や、赤外線通信や近距離無線通信などが挙げられる。
【００７５】
第４の実施の形態では、携帯端末２００を、ＭＦＰ１００の部位の選択に利用する。つまり、携帯端末２００は、ユーザーによる部位の選択を受け付ける受付手段の１つとして機能する。
【００７６】
＜装置構成＞
図２３は、第４の実施の形態にかかるＭＦＰ１００の外観の具体例を示す図である。
【００７７】
図２３を参照して、第４の実施の形態にかかるＭＦＰ１００には、図１に示された第１の実施の形態にかかるＭＦＰ１００に設置されたセンサー８１〜８９に代えて、各部を特定する情報を記憶したＩＣタグ９１〜９９が配置されている。これらＩＣタグ９１〜９９は、それぞれ、センサー８１〜８９と概ね同じ位置に配置される。
【００７８】
なお、第１の実施の形態と同様に、図２３に表わされたＩＣタグ９１〜９９の位置は一例であって、図２３の位置に限定されるものではない。また、同じ部位について複数のＩＣタグが設置されてもよい。
【００７９】
図２４は、第４の実施の形態にかかるＭＦＰ１００のハードウェア構成の具体例を示すブロック図である。
【００８０】
図２４を参照して、第４の実施の形態にかかるＭＦＰ１００は、図２に表わされた第１の実施の形態にかかるＭＦＰ１００の構成に加えて、ＩＣタグ９１〜９９と、携帯端末２００と無線通信するための通信部７０とをさらに含む。なお、図２４では、ＩＣタグ９１〜９９を代表させてＩＣタグ９０と表わしている。
【００８１】
図２５は、携帯端末２００のハードウェア構成の具体例を示すブロック図である。
図２５を参照して、携帯端末２００は、全体を制御するための演算装置であるＣＰＵ２０と、ＣＰＵ２０で実行されるプログラムなどを記憶するためのＲＯＭ２１と、ＣＰＵ２０でプログラムを実行する際の作業領域として機能するためのＲＡＭ２２と、電話帳データーなどを保存するためのメモリー２３と、キーやスイッチなどの入力部２４と、ディスプレイ２５と、加速度センサー２６と、ＭＦＰ１００と無線通信するための通信部２７と、ＩＣタグから記憶されている情報を読み取るためのＩＣタグ読取部２８とを含む。
【００８２】
ＩＣタグ読取部２８はＭＦＰ１００に含まれるＩＣタグ９０と通信可能な範囲内に位置するとＩＣタグ９０と通信可能となり、ＩＣタグ９０にアクセスして記憶されている情報を読み取る。
【００８３】
なお、この例では、ＩＣタグを利用して携帯端末２００がＭＦＰ１００の特定部位から通信可能な距離となったときにＩＣタグ９０からその部位を特定する情報を読み取る仕組みとしている。この方法は一例であって、携帯端末２００を特定部位に近付けてその位置を特定する情報をＭＦＰ１００から取得できる方法であれば、他の方法であってもよい。たとえば、ＭＦＰ１００の各部に当該部位を特定する情報を記憶したバーコードなどの光学的に読み取りが可能な記憶媒体を添付しておき、携帯端末２００がバーコードリーダーなどの読取装置を備えることで、携帯端末２００をバーコードに近付けて情報を読み取るようにしてもよい。
【００８４】
＜動作概要＞
第４の実施の形態では、上の例でのユーザーのタッチに代えて、携帯端末２００でＭＦＰ１００の各部に配置されたＩＣタグ９０から情報を読み取る。読み取られたＩＣタグ９０に記憶されている部位を特定する情報がＭＦＰ１００に送信され、ＭＦＰ１００において、その部位に対応した操作画面が表示パネル１５に表示される。すなわち、第４の実施の形態では、携帯端末２００は読取装置として機能し、ユーザーは操作画面に関連した部位に読取装置である携帯端末２００を近付けてその位置を読み取って選択することで、対応した操作画面が表示パネル１５に表示される。
【００８５】
図２６は、第４の実施の形態でのＭＦＰ１００と携帯端末２００との動作概要を表わした図である。
【００８６】
図２６を参照して、携帯端末２００がＭＦＰ１００から無線通信可能な範囲に近付くと、携帯端末２００ではそのＭＦＰ１００を通信可能なＭＦＰとして検出する（ステップＳ１）。
【００８７】
さらに、ユーザーがＭＦＰ１００の特定部位に携帯端末２００を近付けると、携帯端末２００はその部位近傍に配置されているＩＣタグ９０から当該位置を特定する情報を読み取る（ステップＳ２）。そして、ユーザーから送信操作を受け付けると、携帯端末２００は読み取った部位を示す情報ＭＦＰ１００に送信して、その部位に対応した操作画面を表示するための情報を要求する（ステップＳ３）。
【００８８】
上記送信操作は、たとえば、ＩＣタグ９０から情報を読み取ったことでディスプレイ２５に送信を確認する画面が表示され、その画面上の送信ボタンを押下する操作であってもよい。また、他の例として、当該携帯端末２００自体を振るなどの特定の動きをするものであってもよい。以降の例では、ユーザーが携帯端末２００を振る動作をしたときに送信操作がなされたものとする。
【００８９】
上記要求を受けたＭＦＰ１００は、その要求に含まれる情報から特定される部位に対応した操作画面の情報を読み出して（ステップＳ４）、その情報を携帯端末２００に対して送信する（ステップＳ５）。
【００９０】
携帯端末２００はＭＦＰ１００から受信した情報を用いて、当該ＭＦＰ１００を操作するための操作画面をディスプレイ２５に表示する（ステップＳ６）。なお、この操作画面では、ＭＦＰ１００の操作と同様の操作を受け付けることができる。そして、画面上で受け付けた指示を当該画面における位置情報としてＭＦＰ１００に送信することで、ＭＦＰ１００では、当該操作画面での指示内容を特定し、その動作を実行する。または、その指示に従って画面遷移させる必要がある場合には、遷移後の画面を表示させるための情報を再度携帯端末２００に送信する。
【００９１】
＜機能構成＞
図２７は、上記動作を行なうためのＭＦＰ１００の機能構成の具体例を示すブロック図である。図２７に示される各機能もまた、ＭＦＰ１００のＣＰＵ１０がＲＯＭ１１に記憶されているプログラムを読み出してＲＡＭ１２上に展開しつつ実行することで、主にＣＰＵ１０に形成されるものである。しかしながら、少なくとも一部が、図２３，図２４に表わされたハードウェア構成によって実現されてもよい。
【００９２】
図２７を参照して、ＣＰＵ１０は、通信部７０を介して携帯端末２００から画面情報の送信要求を受け付けるための要求入力部１０８と、その要求に含まれる情報からＩＣタグが読み取られた部位を特定するための部位特定部１０９と表示する操作画面を対応記憶部１６１から読み出すための読出部１０３と、読み出した操作画面を表示させるための情報を通信部７０を介して携帯端末２００に対して送信するための送信部１１０とを含む。
【００９３】
図２８は、上記動作を行なうための携帯端末２００の機能構成の具体例を示すブロック図である。図２８に示される各機能は、携帯端末２００のＣＰＵ２０がＲＯＭ２１に記憶されているプログラムを読み出してＲＡＭ２２上に展開しつつ実行することで、主にＣＰＵ２０に形成されるものである。しかしながら、少なくとも一部が、図２５に表わされたハードウェア構成によって実現されてもよい。
【００９４】
図２８を参照して、ＣＰＵ２０は、ＩＣタグ読取部２８から読み取られた情報の入力を受け付けるための情報入力部２０１と、その情報を解析することで当該情報の示すＭＦＰ１００の部位を特定するための部位特定部２０２と、加速度センサー２６からのセンサー信号の入力を受け付けるためのセンサー入力部２０３、加速度センサー２６からのセンサー信号に基づいて当該携帯端末２００を振る動作がなされ、送信操作がなされたことを特定するための操作特定部２０４と、送信操作になされたことに従ってＩＣタグ９０から読み取られた部位を特定してその部位に応じた操作画面を表示させるための情報を通信部２７を介してＭＦＰ１００に対して要求するための要求部２０５と、通信部２７を介してＭＦＰ１００から送信された操作画面を表示させるための情報の入力を受け付けるための画面入力部２０６と、その情報に基づいて操作画面をディスプレイ２５に表示するための表示部２０７とを含む。
【００９５】
ＭＦＰ１００の各部に配置されたＩＣタグ９１〜９９には、たとえば、図２９に表わされたように、予め、当該ＩＣタグの設置された部位を特定する情報が記憶されている。図２９では、ＩＣタグ９１〜９９がそれぞれＩＣタグ１〜８と表わされ、図２３で表わされた位置に設置されている場合の、各部位を表わす情報が記憶されている例が示されている。
【００９６】
また、第４の実施の形態にかかるＭＦＰ１００のメモリー１６には、図３０に表わされたように、ＭＦＰ１００の部位と表示する画面とが対応付けて記憶されている。
【００９７】
＜動作概要＞
図３１は、携帯端末２００での動作の流れを表わしたフローチャートである。図３１のフローチャートに表わされた動作は、携帯端末２００のＣＰＵ２０がＲＯＭ２１に記憶されているプログラムを読み出して実行し、図２８の各機能を発揮させることによって実現される。
【００９８】
図３１を参照して、ＣＰＵ２０は、たとえば通信部２７から通信可能な範囲に対して応答要求を送信し、それに応答したＭＦＰ１００を検出するなどすることによって、通信可能な範囲内にあるＭＦＰ１００を検出する（ステップＳ４０１）。
【００９９】
ＭＦＰ１００の各部に配置されたＩＣタグ９０がＩＣタグ読取部２８の読み取り可能な範囲に存在することで、すなわち、当該携帯端末２００がＭＦＰ１００の特定部位に近付けられることで、そこに配置されたＩＣタグ９０から情報が読み取られる（ステップＳ４０３）。
【０１００】
その後、携帯端末２００を振るなどの送信操作がなされると（ステップＳ４０５）、ステップＳ４０７でＣＰＵ２０は、上記ステップＳ４０３で読み取った位置を表わす情報を上記ステップＳ４０１で検出されたＭＦＰ１００に対して送信して、操作画面を表示させるための情報を要求する。
【０１０１】
ＭＦＰ１００から情報が送信されると（ステップＳ４０９でＹＥＳ）、ステップＳ４１１でＣＰＵ２０は、その情報に基づいて操作画面をディスプレイ２５に表示し、一連の動作を終了する。
【０１０２】
図３２は、第４の実施の形態にかかるＭＦＰ１００での動作の流れを表わすフローチャートである。図３２のフローチャートに表わされた動作は、ＭＦＰ１００のＣＰＵ１０がＲＯＭ１１に記憶されているプログラムを読み出して実行し、図２７の各機能を発揮させることによって実現される。
【０１０３】
図３２を参照して、ＣＰＵ１０は、携帯端末２００から操作画面を表示させるための情報が要求されると（ステップＳ５０１でＹＥＳ）、ステップＳ５０３でその情報から部位を特定する。そして、ステップＳ５０５でＣＰＵ１０は、対応記憶部１６１に記憶されている図３０の対応を参照して、特定された部位に対応した操作画面を読み出して、携帯端末２００に対して送信する。
【０１０４】
＜変形例＞
なお、この例では、操作画面が携帯端末２００のディスプレイに表示されるものとしているが、今までの例と同様に、ＭＦＰ１００の表示パネル１５に表示されるようにしてもよい。この場合、携帯端末２００では、それぞれ、図３１で表わされた動作のうち、ステップＳ４０１〜Ｓ４０７までの動作が行なわれる。ＭＦＰ１００では、図３３に表わされた動作が行なわれる。
【０１０５】
すなわち、図３３を参照して、この例の場合、上記ステップＳ５０５で携帯端末２００に送信する動作に代えて、ステップＳ５０５’で、その読み出した画面を表示パネル１５に表示する動作が行なわれる。
【０１０６】
＜第４の実施の形態の効果＞
第４の実施の形態にかかるＭＦＰ１００および携帯端末２００が上述のように構成されて動作することによっても、ユーザーは携帯端末２００をＭＦＰ１００の特定の部位に近付ける、またはタッチするという容易で直観的な操作によって、煩雑な操作や難解な操作を行なうことなくその部位に対応した操作画面を表示させることができる。
【０１０７】
［第５の実施の形態］
なお、第４の実施の形態で説明された携帯端末２００を利用してＭＦＰ１００の部位を特定する方法に、第２の実施の形態で説明されたユーザーの権限の種類に応じた画面の表示を組み合わせてもよい。
【０１０８】
この場合、ＭＦＰ１００のメモリー１６には、図３４に表わされたように、ＭＦＰ１００の部位と表示する画面とユーザーの権限の種類とが対応付けて記憶されている。
【０１０９】
図３５はこの場合の携帯端末２００での動作の流れを表わしたフローチャートである。
図３５を参照して、この例では、図３１に表わされたステップＳ４０７の動作に代えて、ＣＰＵ２０は、上記ステップＳ４０３で読み取った位置を表わす情報と共に当該携帯端末２００に予め規定されているユーザー情報を上記ステップＳ４０１で検出されたＭＦＰ１００に対して送信して、操作画面を表示させるための情報を要求する（ステップＳ４０７’）。
【０１１０】
この場合、ＭＦＰ１００は、予め図１２に表わされたユーザー情報を記憶しておき、図３６に表わされた動作を実行する。
【０１１１】
すなわち、図３６を参照して、携帯端末２００から操作画面を表示させるための情報が要求されると（ステップＳ５０１でＹＥＳ）、ステップＳ５０３でその情報から部位を特定する。さらに、ステップＳ５０４で図１２を参照してユーザーの権限の種類を特定する。
【０１１２】
そして、ステップＳ５０５’’でＣＰＵ１０は、図３４の対応を参照して、特定された部位および権限の種類に対応した操作画面を読み出して、携帯端末２００に対して送信する。
【０１１３】
＜第５の実施の形態の効果＞
第５の実施の形態にかかるＭＦＰ１００および携帯端末２００が上述のように構成されて動作することによって、ユーザーの利便性をより向上させることができる。
【０１１４】
［第６の実施の形態］
第５の実施の形態と同様に、第４の実施の形態で説明された携帯端末２００を利用してＭＦＰ１００の部位を特定する方法に、第３の実施の形態で説明されたＭＦＰ１００の状態に応じた画面の表示を組み合わせてもよい。
【０１１５】
この場合、ＭＦＰ１００のメモリー１６には、図３７に表わされたように、ＭＦＰ１００の部位と表示する画面とＭＦＰ１００の状態とが対応付けて記憶されている。
【０１１６】
この場合、携帯端末２００は、図３１の動作を行なう。すなわち、携帯端末２００は、ＭＦＰ１００の各部に設置されたＩＣタグ９０から読み出した情報をＭＦＰ１００に送信して、操作画面を表示させるための情報を要求する。
【０１１７】
ＭＦＰ１００は、図３８に表わされた動作を実行する。
すなわち、図３８を参照して、携帯端末２００から操作画面を表示させるための情報が要求されると（ステップＳ５０１でＹＥＳ）、ステップＳ５０３でその情報から部位を特定する。さらに、ステップＳ５０４’でセンサー１８からのセンサー信号に基づいてそのときのＭＦＰ１００の状態を特定する。
【０１１８】
そして、ステップＳ５０５’’ ’でＣＰＵ１０は、特定された部位およびＭＦＰ１００の状態に対応した操作画面を読み出して、携帯端末２００に対して送信する。
【０１１９】
＜第６の実施の形態の効果＞
第６の実施の形態にかかるＭＦＰ１００および携帯端末２００が上述のように構成されて動作することによっても、ユーザーの利便性をより向上させることができる。
【０１２０】
［第７の実施の形態］
第７の実施の形態として、携帯端末２００を利用してＭＦＰ１００の部位を特定する方法に加えて、携帯端末２００は、ＩＣタグ９０から情報を読み取った際に携帯端末２００で起動しているアプリケーションに応じた操作画面の表示をＭＦＰ１００に対して要求する。ここでのアプリケーションは、ＭＦＰ１００の機能に連携した処理を行なうためのアプリケーションが該当する。
【０１２１】
図３９は、携帯端末２００でアプリケーション実行中である場合の、携帯端末２００のディスプレイ２５の表示例を表わしている。一例として、ここでは、文書データーを管理するためのアプリケーションが実行されている例が表わされている。他の例として、たとえばメールを処理するためのアプリケーションなどが挙げられる。
【０１２２】
この場合、ＭＦＰ１００のメモリー１６には、図４０に表わされたように、ＭＦＰ１００の部位と表示する画面と携帯端末で実行中のアプリケーションとが対応付けて記憶されている。
【０１２３】
図４１は、第７の実施の形態にかかる携帯端末２００での動作の流れを表わすフローチャートである。
【０１２４】
図４１を参照して、ＣＰＵ２０は、指示されたアプリケーションを起動して（ステップＳ６０１）、そのアプリケーションを実行する。
【０１２５】
その後、たとえば通信部２７から通信可能な範囲に対して応答要求を送信し、それに応答したＭＦＰ１００を検出するなどすることによって、通信可能な範囲内にあるＭＦＰ１００を検出する（ステップＳ６０３）。
【０１２６】
ＭＦＰ１００の各部に配置されたＩＣタグ９０がＩＣタグ読取部２８の読み取り可能な範囲に存在することで、すなわち、当該携帯端末２００がＭＦＰ１００の特定部位に近付けられることで、そこに配置されたＩＣタグ９０から情報が読み取られる（ステップＳ６０５）。
【０１２７】
その後、携帯端末２００を振るなどの送信操作がなされると（ステップＳ６０７）、ステップＳ６０９でＣＰＵ２０は、上記ステップＳ６０５で読み取った位置を表わす情報を、上記ステップＳ６０１で実行中のアプリケーションを特定する情報と共に上記ステップＳ６０３で検出されたＭＦＰ１００に対して送信して、操作画面を表示させるための情報を要求する。このとき、複数のアプリケーションが実行されている場合には、それらすべてを特定する情報を送信してもよいし、最終に起動したアプリケーションを特定する情報のみを送信してもよいし、ＩＣタグ９０を読み取った時点でアクティブにされている画面を表示するアプリケーションを特定する情報のみを送信してもよい。
【０１２８】
図４２は、第７の実施の形態にかかるＭＦＰ１００での動作の流れを表わすフローチャートである。
【０１２９】
図４２を参照して、ＣＰＵ１０は、携帯端末２００から操作画面の表示要求されると（ステップＳ７０１でＹＥＳ）、ステップＳ７０３でその情報から部位を特定する。さらに、ステップＳ７０５で、その情報から、携帯端末２００で起動しているアプリケーションを特定する。
【０１３０】
そして、ステップＳ７０７でＣＰＵ１０は、対応記憶部１６１に記憶されている図４０の対応を参照して、特定された部位およびアプリケーションに対応した操作画面を読み出して、表示パネル１５に表示する。
【０１３１】
＜第７の実施の形態の効果＞
第７の実施の形態にかかるＭＦＰ１００および携帯端末２００が上述のように構成されて動作することで、容易で直観的な動作によって、煩雑な操作や難解な操作を行なうことなく、携帯端末２００で起動している、ＭＦＰ１００の機能と連携するあ処理を行なうアプリケーションに応じた操作画面、つまり、そのアプリケーションに連携するＭＦＰ１００の機能を操作するための操作画面をＭＦＰ１００の表示パネル１５に表示させることができる。
【０１３２】
たとえば、上の例では、携帯端末２００において「ＸＸＸドキュメント」と表わされた文書データーの管理用のアプリケーションが起動しているときにユーザーがその携帯端末２００で原稿自動読取装置１近傍のＩＣタグ９１を読み取らせると、ＩＣタグ９１に記憶されているその設置位置に応じたＭＦＰ１００の部位および「ＸＸＸドキュメント」に対応した操作画面として、図４３に表わされた操作画面が表示される。図４３の操作画面は、ＭＦＰ１００でスキャン動作を行なわせ、得られた画像データーを「ＸＸＸドキュメント」であるアプリケーションに送信する動作を指示するための操作画面である。
【０１３３】
このような表示が煩雑な操作や難解な操作を行なうことなく容易で直観的な動作によってなされることで、ユーザーの利便性を格段に向上させることができる。
【０１３４】
なお、この例では、操作画面がＭＦＰ１００の表示パネル１５に表示されるものとしているが、上述のように、携帯端末２００のディスプレイ２５に表示されてもよい。
【０１３５】
さらに、上述の動作をＭＦＰ１００や携帯端末２００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３８】
提供されるプログラム製品は、ハードディスクなどのプログラム格納部にインストールされて実行される。なお、プログラム製品は、プログラム自体と、プログラムが記録された記録媒体とを含む。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４０】
１  原稿自動読取装置、２  給紙トレイ、３  排紙トレイ、４  本体部、１０，２０  ＣＰＵ、１１，２１  ＲＯＭ、１２，２２  ＲＡＭ、１３  スキャナー、１４  プリンター、１５  表示パネル、１６，２３  メモリー、１７  ＮＩＣ読取部、１８，８１〜８９  センサー、１９  ＵＳＢＩ／Ｆ、２４  入力部、２５  ディスプレイ、２６  加速度センサー、２８  ＩＣタグ読取部、２７，７０  通信部、９０〜９９  ＩＣタグ、１００  ＭＦＰ、１０１，２０３  センサー入力部、１０２  検出部、１０３  読出部、１０４，２０７  表示部、１０５  指示入力部、１０６  認証部、１０７  状態特定部、１０８  要求入力部、１０９，２０２  部位特定部、１１０  送信部、１６１  対応記憶部、１６２  ユーザー情報記憶部、２００，２００Ａ，２００Ｂ  携帯端末、２０１  情報入力部、２０４  操作特定部、２０５  要求部、２０６  画面入力部。
【図１】
0006051541.tif 000002
【図２】
0006051541.tif 000003
【図３】
0006051541.tif 000004
【図４】
0006051541.tif 000005
【図５】
0006051541.tif 000006
【図６】
0006051541.tif 000007
【図７】
0006051541.tif 000008
【図８】
0006051541.tif 000009
【図９】
0006051541.tif 000010
【図１０】
0006051541.tif 000011
【図１１】
0006051541.tif 000012
【図１２】
0006051541.tif 000013
【図１３】
0006051541.tif 000014
【図１４】
0006051541.tif 000015
【図１５】
0006051541.tif 000016
【図１６】
0006051541.tif 000017
【図１７】
0006051541.tif 000018
【図１８】
0006051541.tif 000019
【図１９】
0006051541.tif 000020
【図２０】
0006051541.tif 000021
【図２１】
0006051541.tif 000022
【図２２】
0006051541.tif 000023
【図２３】
0006051541.tif 000024
【図２４】
0006051541.tif 000025
【図２５】
0006051541.tif 000026
【図２６】
0006051541.tif 000027
【図２７】
0006051541.tif 000028
【図２８】
0006051541.tif 000029
【図２９】
0006051541.tif 000030
【図３０】
0006051541.tif 000031
【図３１】
0006051541.tif 000032
【図３２】
0006051541.tif 000033
【図３３】
0006051541.tif 000034
【図３４】
0006051541.tif 000035
【図３５】
0006051541.tif 000036
【図３６】
0006051541.tif 000037
【図３７】
0006051541.tif 000038
【図３８】
0006051541.tif 000039
【図３９】
0006051541.tif 000040
【図４０】
0006051541.tif 000041
【図４１】
0006051541.tif 000042
【図４２】
0006051541.tif 000043
【図４３】
0006051541.tif 000044